(57)【特許請求の範囲】
【請求項１】
容器口筒部に配置されるキャップ頂壁を有したキャップ部と、前記キャップ頂壁の下面側に配置される中蓋とを備え、
前記キャップ頂壁は、破断可能ラインによって区画された注出口予定部または注出口と、前記注出口予定部または前記注出口の周囲に形成された外周部とを有し、
前記中蓋は、蓋ベース部と、前記外周部の下面に前記蓋ベース部を揺動可能に連結する蓋連結部とを有し、
前記蓋ベース部は、前記キャップ頂壁に対して前記中蓋を閉じた状態で、上下方向に見た場合に前記注出口予定部または前記注出口に重複する流路形成部を有し、
前記キャップ頂壁には、前記注出口予定部が形成され、
前記注出口予定部の下面には、前記中蓋に係合可能な中蓋用係止部が形成されていることを特徴とするキャップ。
【請求項２】
前記流路形成部は、前記蓋ベース部に形成された貫通孔、または、前記蓋ベース部の外縁に形成された切り欠き部から構成されていることを特徴とする請求項１に記載のキャップ。
【請求項３】
前記中蓋用係止部は、前記注出口予定部の下面から突出し、前記流路形成部に係合可能に形成されていることを特徴とする請求項１または請求項２に記載のキャップ。
【請求項４】
前記外周部の下面には、軸受部が形成され、
前記蓋連結部は、前記軸受部によって軸受けされる軸部を有していることを特徴とする請求項１乃至請求項３のいずれかに記載のキャップ。
【請求項５】
前記軸受部は、下方に開口した保持凹部を有し、
前記軸部は、前記保持凹部に下方から取り付けられることを特徴とする請求項４に記載のキャップ。
【請求項６】
前記キャップ部は、前記キャップ頂壁を有したキャップ本体と、上蓋と、前記キャップ本体と上蓋とをヒンジ結合するヒンジ結合部とを有し、
前記蓋ベース部の揺動方向は、前記上蓋の揺動方向に対して直交するように設定されていることを特徴とする請求項１乃至請求項５のいずれかに記載のキャップ。
【請求項７】
容器口筒部に配置されるキャップ頂壁を有したキャップ部と、前記キャップ頂壁の下面側に配置される中蓋とを備え、
前記キャップ頂壁は、破断可能ラインによって区画された注出口予定部または注出口と、前記注出口予定部または前記注出口の周囲に形成された外周部とを有し、
前記中蓋は、蓋ベース部と、前記外周部の下面に前記蓋ベース部を揺動可能に連結する蓋連結部とを有し、
前記蓋ベース部は、前記キャップ頂壁に対して前記中蓋を閉じた状態で、上下方向に見た場合に前記注出口予定部または前記注出口に重複する流路形成部を有し、
前記キャップ部は、前記キャップ頂壁を有したキャップ本体と、上蓋と、前記キャップ本体と上蓋とをヒンジ結合するヒンジ結合部とを有し、
前記蓋ベース部の揺動方向は、前記上蓋の揺動方向に対して直交するように設定されていることを特徴とするキャップ。
【発明の詳細な説明】
【技術分野】
【０００１】
本発明は、容器口筒部に装着される容器用のキャップに関し、特に、内容物の注出量を調節可能な容器用のキャップに関する。
【背景技術】
【０００２】
従来、内容物の注出量を調節可能なキャップとして、容器口筒部に装着され、第１注出口が形成されたキャップ頂壁（仕切壁）を有した第１注出部材と、第１注出部材にヒンジを介して連結され、第２注出口が形成されたノズルを有した第２注出部材と、第２注出部材にヒンジを介して連結されるオーバーキャップとを備えるキャップが知られている（例えば特許文献１を参照）。
【先行技術文献】
【特許文献】
【０００３】
【特許文献１】特許第５３６２４３４号公報
【発明の概要】
【発明が解決しようとする課題】
【０００４】
この特許文献１に記載のキャップでは、使用者が少量の内容液を注出しようとした場合、第２注出部材に対してオーバーキャップを回動させてオーバーキャップを開いた後、第２注出部材に形成された第２注出口から少量の内容液を注出し、他方、使用者が大量の内容液を注出しようとした場合、第１注出部材に対して第２注出部材を回動させて第２注出部材を開いた後、第１注出部材に形成された第１注出口から大量の内容液を注出する。
【０００５】
ところが、特許文献１に記載されるキャップでは、その構造が複雑であることから、生産性が悪く、また、キャップ全体のサイズが大きくなるため、材料コストが高くなるとともに、通常の充填ラインでは充填を行うことができないという問題がある。
【０００６】
そこで、本発明は、これらの問題点を解決するものであり、低コストで構造の簡素化および小型化を実現しつつ、内容物の注出量を容易に調節可能なキャップを提供することを目的とするものである。
【課題を解決するための手段】
【０００７】
本発明の一態様は、容器口筒部に配置されるキャップ頂壁を有したキャップ部と、前記キャップ頂壁の下面側に配置される中蓋とを備え、前記キャップ頂壁は、破断可能ラインによって区画された注出口予定部または注出口と、前記注出口予定部または前記注出口の周囲に形成された外周部とを有し、前記中蓋は、蓋ベース部と、前記外周部の下面に前記蓋ベース部を揺動可能に連結する蓋連結部とを有し、前記蓋ベース部は、前記キャップ頂壁に対して前記中蓋を閉じた状態で、上下方向に見た場合に前記注出口予定部または前記注出口に重複する流路形成部を有し、前記キャップ頂壁には、前記注出口予定部が形成され、前記注出口予定部の下面には、前記中蓋に係合可能な中蓋用係止部が形成されていることにより、前記課題を解決するものである。
本発明の他態様は、容器口筒部に配置されるキャップ頂壁を有したキャップ部と、前記キャップ頂壁の下面側に配置される中蓋とを備え、前記キャップ頂壁は、破断可能ラインによって区画された注出口予定部または注出口と、前記注出口予定部または前記注出口の周囲に形成された外周部とを有し、前記中蓋は、蓋ベース部と、前記外周部の下面に前記蓋ベース部を揺動可能に連結する蓋連結部とを有し、前記蓋ベース部は、前記キャップ頂壁に対して前記中蓋を閉じた状態で、上下方向に見た場合に前記注出口予定部または前記注出口に重複する流路形成部を有し、前記キャップ部は、前記キャップ頂壁を有したキャップ本体と、上蓋と、前記キャップ本体と上蓋とをヒンジ結合するヒンジ結合部とを有し、前記蓋ベース部の揺動方向は、前記上蓋の揺動方向に対して直交するように設定されていることにより、前記課題を解決するものである。
【発明の効果】
【０００８】
本請求項１、７に係る発明によれば、キャップ部のキャップ頂壁が、注出口予定部または注出口と外周部とを有し、中蓋が、蓋ベース部と、外周部の下面に蓋ベース部を揺動可能に連結する蓋連結部とを有し、蓋ベース部が、キャップ頂壁に対して中蓋を閉じた状態で、上下方向に見た場合に注出口予定部または注出口に重複する流路形成部を有することにより、内容物の注出時に容器を傾ける方向を選択して、キャップ頂壁に対する中蓋の姿勢を調節することによって、流路形成部が形成された蓋ベース部によって内容物の注出量を制限し、少量の内容物を注出可能な第１の状態と、蓋ベース部によって内容物の注出量を制限することなく、大量の内容物を注出可能な第２の状態とを使い分けることが可能であるため、低コストで構造の簡素化および小型化を実現しつつ、内容物の注出量を容易に調節することができる。
【０００９】
本請求項２に係る発明によれば、流路形成部が、蓋ベース部に形成された貫通孔、または、蓋ベース部の外縁に形成された切り欠き部から構成されていることにより、貫通孔または切り欠き部の数量・サイズ・形状を調整することで、蓋ベース部によって内容物の注出量を制限した際における、内容物の注出量を容易に調節することができる。
本請求項１に係る発明によれば、注出口予定部の下面に、中蓋に係合可能な中蓋用係止部が形成されていることにより、注出口予定部を除去する前の状態で、キャップ頂壁に対する中蓋の揺動を阻止することが可能であるため、容器口筒部に対するキャップの装着を容易に達成できる等、キャップのハンドリング性を向上することができる。
本請求項３に係る発明によれば、中蓋用係止部が、注出口予定部の下面から突出し、流路形成部に係合可能に形成されていることにより、流路形成部を中蓋用係止部の被係合部としても利用することが可能であるため、蓋ベース部の構成を簡素化することができる。
本請求項４に係る発明によれば、外周部の下面に軸受部が形成され、蓋連結部が、軸受部によって軸受けされる軸部を有していることにより、キャップ頂壁に対する中蓋の動きを良好に制御することが可能であるため、容器を傾ける方向を選択することによる、内容物の注出量の調節を良好に行うことができる。
本請求項５に係る発明によれば、軸受部が下方に開口した保持凹部を有し、軸部が下方から保持凹部に取り付けられることにより、軸受部の保持凹部に対して中蓋の軸部を下方から嵌め込むという簡単な作業によって、キャップ部に対する中蓋の装着を容易に達成することができる。
本請求項６、７に係る発明によれば、蓋ベース部の揺動方向が、上蓋の揺動方向に対して直交するように設定されていることにより、キャップ本体と上蓋とをヒンジ結合するヒンジ結合部の位置を基準として、内容物の注出時に容器を傾ける方向が明確になる。
【図面の簡単な説明】
【００１０】
【図１】本発明の一実施形態に係るキャップを示す断面図。
【図２】注出口予定部を除去した状態のキャップを示す断面図。
【図３】キャップ本体を下方から見て示す平面図。
【図４】キャップ本体に中蓋を装着した状態を下方から見て示す平面図。
【図５】少量の内容物を注出する際のキャップの様子を示す断面図。
【図６】大量の内容物を注出する際のキャップの様子を示す断面図。
【図７】中蓋の変形例を示す平面図。
【発明を実施するための形態】
【００１１】
以下に、本発明の一実施形態に係るキャップ１０について、図面に基づいて説明する。
【００１２】
まず、キャップ１０は、図１に示すように、容器６０の容器口筒部６１に装着されるキャップ部２０と、キャップ部２０のキャップ頂壁３１の下面側に配置される中蓋５０とを備えている。
【００１３】
キャップ部２０は、合成樹脂製のヒンジ付きキャップとして構成され、図１や図２に示すように、キャップ本体３０と、キャップ本体３０に開閉可能に連結される上蓋４０と、キャップ本体３０および上蓋４０を連結するヒンジ結合部２１とを一体に有している。
【００１４】
キャップ本体３０は、図１や図２に示すように、容器口筒部６１の開口部を塞ぐように配置される略円板状のキャップ頂壁３１を有している。
【００１５】
キャップ頂壁３１は、図１〜図４に示すように、破断可能ライン３２ａによって区画された平板状の注出口予定部３２と、注出口予定部３２の周囲に形成された環状平板状の外周部３３とを有している。
注出口予定部３２の上面には、図１に示すように、引張リング３２ｂが連設されており、引張リング３２ｂに指を掛けて引っ張ることにより、破断可能ライン３２ａが破断されると共に注出口予定部３２がキャップ頂壁３１から除去され、図２に示すように、キャップ頂壁３１に注出口３４が形成される。
【００１６】
注出口予定部３２の下面には、図１に示すように、突起状の中蓋用係止部３２ｃが形成されており、この中蓋用係止部３２ｃを中蓋５０の貫通孔５２の１つに係合させることにより、キャップ頂壁３１に対して中蓋５０を閉じた状態を維持することができる。
また、外周部３３の下面には、中蓋５０の軸部５４ａ（後述する）を軸受けする一対の軸受部３５が形成されている。これら軸受部３５は、下方に開口した保持凹部３５ａを有しており、この保持凹部３５ａに軸部５４ａを下方から嵌め込むことで、キャップ本体３０に中蓋５０を取り付けることができる。
【００１７】
キャップ本体３０は、更に、図１や図２に示すように、外周部３３の周縁から垂下する円筒状のスカート壁３６と、スカート壁３６の下端縁に連続して形成されスカート壁３６の外周側に配置される円筒状の外周壁３７と、外周部３３から上方に向けて延びる注出筒部３８と、外周部３３の下面から突出する環状部３９とを有している。
【００１８】
スカート壁３６の上部外周には、本体側係止部３６ａが形成されており、この本体側係止部３６ａに上蓋側係止部４４（後述する）をスナップ嵌合させることで、上蓋４０の閉状態を維持する。また、スカート壁３６の下部内周には、容器用係合部３６ｂが形成されており、この容器用係合部３６ｂに容器口筒部６１の容器側係合部６２を係合させることで、容器６０に対してキャップ部２０を取り付ける。また、環状部３９は、図２に示すように、容器口筒部６１の内周にその外周が密着するように、容器口筒部６１内に挿入される。
【００１９】
上蓋４０は、図１や図２に示すように、円板状の天面壁４１と、天面壁４１の周縁から垂下する円筒状の側壁４２とを有している。天面壁４１の下面には、環状の封止壁部４３が下方に向けて突出形成されており、キャップ本体３０に対して上蓋４０を閉じた状態で、封止壁部４３の外周をキャップ本体３０の注出筒部３８の内周側に密着させることで、注出口予定部３２がキャップ頂壁３１から除去された後においても、閉状態の時の密封性を向上させる。側壁４２の内周の下端には、上蓋側係止部４４が形成されている。
【００２０】
中蓋５０は、外周部３３の下面に揺動可能に取り付けられるものであり、図１や図４に示すように、円板状の蓋ベース部５１と、外周部３３に蓋ベース部５１を連結する蓋連結部５４とを有している。
【００２１】
蓋ベース部５１は、図１や図４に示すように、キャップ頂壁３１に対して中蓋５０を閉じた状態（すなわち、後述する接触部５３を外周部３３に接触させた状態）で、注出口予定部３２（注出口３４）に対向して配置され、表裏に貫通する複数の貫通孔５２を有している。これら貫通孔５２は、キャップ頂壁３１に対して中蓋５０を閉じた状態で、容器６０の内容物Ｃを注出するとともに、外部から空気を注入するための流路を形成する流路形成部５２として機能する。
【００２２】
なお、流路形成部５２の具体的態様については、キャップ頂壁３１に対して中蓋５０を閉じた状態で、上下方向に見た場合に注出口予定部３２（注出口３４）に重複するように形成されたものであれば如何なるものでもよく、例えば、図７（ｅ）に示すように、蓋ベース部５１の外縁に形成された切り欠き部５２から流路形成部５２を構成してもよく、また、貫通孔５２および切り欠き部５２を組み合わせて流路形成部５２を構成してもよい。
また、貫通孔５２から流路形成部５２を構成する場合、図７（ａ）〜（ｄ）に示すように、貫通孔５２の数量・サイズ・形状は、キャップ頂壁３１に対して中蓋５０を閉じた状態で、内容物Ｃを注出するとともに、外部から空気を注入することが可能なものであれば如何なるものでもよい。例えば、貫通孔５２の数量は１つであってもよい。
【００２３】
蓋ベース部５１の上面には、蓋ベース部５１の外縁において上方に突出する環状凸部状の接触部５３が形成されている。この接触部５３は、キャップ頂壁３１に対して中蓋５０を閉じた状態で、注出口予定部３２（注出口３４）の外形より外側にはみ出し、外周部３３に接触するように形成されている。
【００２４】
蓋連結部５４は、図４に示すように、軸受部３５によって軸受けされる軸部５４ａと、軸部５４ａおよび蓋ベース部５１を接続する接続部５４ｂとから構成されている。なお、本実施形態では、上述したようにキャップ頂壁３１に対して蓋ベース部５１を各々を別体で係合連結したが、キャップ頂壁３１に対して蓋ベース部５１との間の連結態様は、外周部３３の下面に中蓋５０を揺動可能に取り付けるものであれば如何なるものでもよく、例えば、バンド部によってキャップ頂壁３１に対して蓋ベース部５１を一体にヒンジ連結してもよい。
【００２５】
また、蓋ベース部５１の揺動方向は、上蓋４０の揺動方向に対して直交するように設定されており、換言すると、蓋ベース部５１の軸部５４ａの軸線方向は、ヒンジ結合部２１のヒンジ軸方向に対して直交するように設定されている。
【００２６】
次に、本実施形態のキャップ１０を装着した容器６０の使用方法について、以下に説明する。なお、図５および図６においては、上蓋４０の図示を省略している。
【００２７】
まず、引張リング３２ｂに指を掛けて引っ張ることにより、注出口予定部３２をキャップ頂壁３１から除去し、キャップ頂壁３１に注出口３４を形成する。
この際、注出口予定部３２の除去と共に、貫通孔５２の１つに係合していた中蓋用係止部３２ｃについても併せて除去され、キャップ頂壁３１に対して中蓋５０が揺動可能な状態になる。また、図２に示すように、容器６０を直立させた状態（キャップ１０を上方に向けた状態）では、中蓋５０が、軸受部３５によって軸部５４ａが支持され、重力によって吊り下がった状態になる。
【００２８】
次に、少量の内容物Ｃを注出する時には、図５に示すように、軸部５４ａおよび軸受部３５が上方に来るように容器６０を傾ける。
すると、キャップ頂壁３１に対して中蓋５０が閉じた状態（すなわち、注出口３４を蓋ベース部５１によって塞いだ状態）となり、蓋ベース部５１によって内容物Ｃの注出量が制限され、貫通孔５２および注出口３４を通して少量の内容物Ｃを注出することができる。
そして、その際、上方側の貫通孔５２は空気孔として作用する。
【００２９】
他方、大量の内容物Ｃを注出する時には、図６に示すように、軸部５４ａおよび軸受部３５が下方に来るように容器６０を傾ける。
すると、キャップ頂壁３１に対して中蓋５０が開いた状態（すなわち、注出口３４から蓋ベース部５１を離した状態）となり、注出口３４を通して大量の内容物Ｃを注出することができる。
【００３０】
以上、本発明の実施形態を詳述したが、本発明は上記実施形態に限定されるものではなく、特許請求の範囲に記載された本発明を逸脱することなく種々の設計変更を行なうことが可能である。
【００３１】
例えば、上述した実施形態では、キャップ頂壁に、破断可能ラインによって区画された注出口予定部が形成されているものとして説明したが、注出口予定部を形成することなく、初めから注出口をキャップ頂壁に形成してもよい。
また、上述した実施形態では、中蓋用係止部が、中蓋の貫通孔の１つに係合するものとして説明したが、中蓋用係止部の具体的態様は、中蓋に係合し、キャップ部に対して中蓋を係止可能なものであれば如何なるものでもよい。
また、上述した実施形態では、キャップ部が、キャップ本体と上蓋とをヒンジ結合した所謂ヒンジ付きキャップとして構成されているが、キャップ部の具体的態様は、容器口筒部に装着可能なものであれば如何なるものでもよい（例えば、キャップ本体と上蓋とが別体で相互にネジ係合する態様、いわゆるプルキャップと呼ばれる態様でもよい）。
また、上述した実施形態では、蓋ベース部の揺動方向が、上蓋の揺動方向に対して直交するように設定されているものとして説明したが、蓋ベース部の揺動方向が上蓋の揺動方向に対して所定角度（６０°や７５°等）を成すように設定してもよい。
また、上述した実施形態では、内容物が液体状のものであるものとして説明したが、内容物の具体的態様は、粉末状のもの等であってもよい。
【符号の説明】
【００３２】
１０    ・・・  キャップ
２０    ・・・  キャップ部
２１    ・・・  ヒンジ結合部
３０    ・・・  キャップ本体
３１    ・・・  キャップ頂壁
３２    ・・・  注出口予定部
３２ａ  ・・・  破断可能ライン
３２ｂ  ・・・  引張リング
３２ｃ  ・・・  中蓋用係止部
３３    ・・・  外周部
３４    ・・・  注出口
３５    ・・・  軸受部
３５ａ  ・・・  保持凹部
３６    ・・・  スカート壁
３６ａ  ・・・  本体側係止部
３６ｂ  ・・・  容器用係合部
３７    ・・・  外周壁
３８    ・・・  注出筒部
３９    ・・・  環状部
４０    ・・・  上蓋
４１    ・・・  天面壁
４２    ・・・  側壁
４３    ・・・  封止壁部
４４    ・・・  上蓋側係止部
５０    ・・・  中蓋
５１    ・・・  蓋ベース部
５２    ・・・  流路形成部（貫通孔、切り欠き部）
５３    ・・・  接触部
５４    ・・・  蓋連結部
５４ａ  ・・・  軸部
５４ｂ  ・・・  接続部
６０    ・・・  容器
６１    ・・・  容器口筒部
６２    ・・・  容器側係合部
Ｃ      ・・・  内容物
【図１】
0006510825.tif 000002
【図２】
0006510825.tif 000003
【図３】
0006510825.tif 000004
【図４】
0006510825.tif 000005
【図５】
0006510825.tif 000006
【図６】
0006510825.tif 000007
【図７】
0006510825.tif 000008